(57)【要約】      （修正有）【課題】登録されている出力禁止画像を含む画像を出力する際に、登録されている出力禁止画像と完全に一致しなくても、出力禁止条件に適合する画像であれば、出力を適切に禁止することができる画像形成装置を提供する。【解決手段】原稿を読み取り画像データを生成する画像読取部１４と、画像読取部１４で読み取った第１の画像データである出力禁止画像を登録する画像登録部１５と、画像登録部１５に登録された前記第１の画像データの出力禁止条件を設定する条件設定部１６と、画像読取部１４で読み取った第２の画像データ、即ち読み取った原稿画像に、条件設定部１６で設定された出力禁止条件の範囲内で前記第１の画像データ、即ち出力禁止画像が含まれるか否かを判定する画像比較解析部１８と、画像比較解析部１８で含まれると判定された場合には、前記第２の画像データの出力を禁止する出力制御部１９とを有する。【選択図】図１
2010212859.tif 000002
【特許請求の範囲】
【請求項１】
原稿を読み取って画像データを出力する画像形成装置において、
原稿を読み取り画像データを生成する画像読取部と、
前記画像読取部で読み取った第１の画像データを登録する画像登録部と、
前記画像登録部に登録された前記第１の画像データの出力禁止条件を設定する条件設定部と、
前記画像読取部で読み取った第２の画像データに、前記条件設定部で設定された出力禁止条件の範囲内で前記第１の画像データが含まれるか否かを判定する画像比較解析部と、
前記画像比較解析部で含まれると判定された場合には、前記第２の画像データの出力を禁止する出力制御部と、
を有することを特徴とする画像形成装置。
【請求項２】
前記出力禁止条件として、範囲、色、サイズの少なくともいずれかのパラメータを設定することを特徴とする請求項１に記載の画像形成装置。
【請求項３】
前記出力禁止条件として、範囲のパラメータが設定されている場合、前記画像比較解析部は、当該範囲がｎ％である場合は登録画像の横幅分の（１００−ｎ）％を超えても連続して一致する箇所が現れなければ一致せずと判断し、連続して一致する箇所が出現した場合、その後の読み取りで登録されている出力禁止画像と異なる画素が検出されたときに一致せずと判断することを特徴とする請求項１に記載の画像形成装置。
【請求項４】
前記条件設定部は、出力許可条件の設定を行い、
前記出力制御部は、前記画像比較解析部により前記出力禁止条件の範囲内で前記第１の画像データが含まれていると判定された場合であっても、前記出力許可条件を満たす場合には前記第２の画像データの出力を許可することを特徴とする請求項１に記載の画像形成装置。
【請求項５】
前記出力許可条件とは、前記第１の画像データが、前記第２の画像データの四隅の所定範囲内にある場合は出力を許可するとの条件であることを特徴とする請求項４に記載の画像形成装置。
【請求項６】
前記出力許可条件とは、前記第１の画像データが、前記第２の画像データの中央の所定範囲内にある場合は出力を許可するとの条件であることを特徴とする請求項４に記載の画像形成装置。
【発明の詳細な説明】
【技術分野】
【０００１】
本発明は、不正な画像データの出力を防止する機能を備えた画像形成装置に関する。
【背景技術】
【０００２】
近年、カラー画像処理技術の発達により、コピーした画像とオリジナルの画像とを見分けるのが容易ではなくなってきている。そのため、近年のカラー複写機には、不正利用防止の観点から、紙幣や有価証券を複写できないようにする機能が備わっている。
【０００３】
即ち、新しい紙幣や個別の機密文書に対応するため、複写を禁止する文書に含まれる特定の文字列や複写禁止の画像を個々に別途登録し、複写する文書からそれらを抽出した場合には複写を禁止する機能を持つ技術がある。
【０００４】
ここで、例えば特許文献１では、原稿画像データを解析して、予め任意に設定されている複数の設定文字列、設定画像と一致する文字列、画像の存在を解析し、ユーザ名およびパスワードが予め任意に設定されているユーザ名およびパスワードでない場合等には、原稿画像データの出力を禁止する画像処理装置が開示されている。
【先行技術文献】
【特許文献】
【０００５】
【特許文献１】特開２００２−５７８９５号公報
【発明の概要】
【発明が解決しようとする課題】
【０００６】
しかしながら、前記従来技術では、別途登録した複写禁止画像については、完全一致の場合しか検出できないため、少し異なっていた場合に複写禁止として検出されないという問題があった。さらに、複写禁止文書でないにもかかわらず複写禁止を示す画像と一致或いは類似した画像が本文中に含まれていたため、複写禁止と誤認識してしまい、複写されないことがあるという問題があった。
【０００７】
そこで、本発明は上述の技術的な課題に鑑み、登録されている出力禁止画像を含む画像を出力する際に、登録されている出力禁止画像と完全に一致しなくても、出力禁止条件に適合する画像であれば、出力を適切に禁止することができる画像形成装置を提供することを目的とする。
【課題を解決するための手段】
【０００８】
上述技術的な課題を解決するため、本発明の一態様による画像形成装置は、原稿を読み取って画像データを出力する画像形成装置において、原稿を読み取り画像データを生成する画像読取部と、画像読取部で読み取った第１の画像データを登録する画像登録部と、画像登録部に登録された第１の画像データの出力禁止条件を設定する条件設定部と、画像読取部で読み取った第２の画像データに、条件設定部で設定された出力禁止条件の範囲内で第１の画像データが含まれるか否かを判定する画像比較解析部と、画像比較解析部で含まれると判定された場合には、第２の画像データの出力を禁止する出力制御部とを有することを特徴とする。
【発明の効果】
【０００９】
本発明に係る画像形成装置によれば登録されている出力禁止画像を含む画像を出力する際に、登録されている出力禁止画像と完全に一致しなくても、出力禁止条件に適合する画像であれば、出力を適切に禁止することが可能となる。
【図面の簡単な説明】
【００１０】
【図１】本発明の第１の実施形態に係る画像形成装置の構成図である。
【図２】出力条件管理テーブルの構成例を示す図である。
【図３】画像形成装置の入力・表示部による表示画面の構成例を示す図である。
【図４】本発明の第１の実施形態に係る画像形成装置による出力禁止画像登録モード時の処理手順を示すフローチャートである。
【図５】本発明の第１の実施形態に係る画像形成装置による複写時の動作を詳細に説明するフローチャートである。
【図６】本発明の第２の実施形態に係る画像形成装置の構成図である。
【図７】出力条件管理テーブルの構成例を示す図である。
【図８】画像形成装置の入力・表示部による表示画面の構成例を示す図である。
【図９】本発明の第２の実施形態に係る画像形成装置による出力禁止画像登録モード時の処理手順を示すフローチャートである。
【図１０】本発明の第２の実施形態に係る画像形成装置による複写時の動作を詳細に説明するフローチャートである。
【発明を実施するための形態】
【００１１】
以下、本発明の画像形成装置に係る好適な実施形態について図面を参照しながら説明する。なお、本発明の画像形成装置は、以下の記述に限定されるものではなく、本発明の要旨を逸脱しない範囲において、適宜変更可能である。
【００１２】
［第１の実施形態］
図１には本発明の第１の実施形態に係る画像形成装置の構成を示し説明する。
この図１に示されるように、画像形成装置１は、制御部１１、入力・表示部１２、印刷部１３、画像読取部１４、画像登録部１５、条件設定部１６、画像保存部１７、画像比較解析部１８、出力制御部１９を備えている。
【００１３】
このような構成において、制御部１１は、画像形成装置１全体の制御を司るものであって、中央演算処理装置（CPU ;Central Processing Unit）１１ａとＲＯＭ（Read Only Memory）やＲＡＭ（Random Access Memory）等のメモリ１１ｂを備える。ＣＰＵ１１ａは、メモリ１１ｂに記憶されているプログラムを読み出し実行することで実際の制御や演算を行うものであり、その際にメモリ１１ｂは一時記憶領域等としても利用される。
【００１４】
入力・表示部１２は、従来の入力装置と表示装置の特徴を併せ持つタッチパネル等により構成されている。ユーザが、表示画像上の所定の領域に触れると、入力・表示部１２は所定の制御信号を出力し、該操作の内容を制御部１１に伝達する。また、入力・表示部１２は、その表示機能により、画像形成装置１の処理状況やユーザへの情報の表示、ユーザに対話的に選択させるため設定可能な印刷設定情報の表示を行う。印刷設定情報には、印刷部数、用紙・原稿サイズの指定、濃度等がある。また、入力・表示部１２は、出力禁止画像の登録のための読み取りを行うか、コピーのための読み取りを行うか等といった設定のほか、通常出力のためのコピーやスキャン等の操作入力や、コピー部数、濃度、出力方法等のパラメータ設定要求を受け付けるようになっている。
【００１５】
画像読取部１４は、原稿台に置かれた原稿を光学的に読み取り、画像データを生成するものである。画像登録部１５は、出力禁止画像として登録するために読み取られた画像の登録を行う。即ち、画像登録部１５は、出力禁止画像の登録のための読み取りの際に、画像読取部１４からの画像データが送られ、この送られた画像データを条件設定部１６で設定された条件と対応付けて画像保存部１７に保存する。
【００１６】
条件設定部１６は、画像登録部１５で登録された画像が含まれる画像データの出力禁止条件（又は出力許可条件）を設定する。例えば、「Confidential」が赤字で書かれた画像が出力禁止条件として登録された場合、「Confidential」という文字列はインクの都合などで欠けることがある為、例えば９０％以上一致していたら出力を禁止するように範囲を設定することができる。また、インクの都合や保存状態で多少色が変わっていても出力は禁止されるが、黒字のような明らかな色違いは出力を許可するといった具合に色も設定することができる。機密文書は文書の右上に「Confidential」という印を押すことになっている場合には、右上以外の「Confidential」は違う用途で使われているとして出力は許可するといった条件も登録することができる。以上の条件の一部は、図２のＮｏ．１の条件に相当するものであるが、その詳細については後述する。尚、出力許可条件については、第２の実施形態において説明する。
【００１７】
画像保存部１７は登録された出力禁止画像と出力禁止条件とをペアで保存する。この保存のための出力条件管理テーブルの例は、後に図２を参照して詳述する。
【００１８】
画像比較解析部１８は、出力のために読み取られた画像データに出力禁止画像が含まれているか否かを解析する。より具体的には、画像比較解析部１８は、画像保存部１７に保存されている出力禁止画像が、出力のために読み込んだ画像データに含まれているか否かを比較・解析することになる。出力制御部１９は、この画像比較解析部１８の比較解析結果に基づいて画像の出力を制御するものである。即ち、出力制御部１９は、画像比較解析部１８で出力禁止と判断された場合には、その旨を入力・表示部１２に表示し、一方、画像比較解析部１８で出力可能と判断された場合には、印刷部１３に印刷を指示し、画像読取部１４で読み取った画像データを印刷部１３に送る。印刷部１３は、この画像データに印刷のための画像処理を施し、印刷を行う。
【００１９】
図２には画像保存部１７に保存されている画像と条件の出力条件管理テーブルの構成例を示し説明する。この図２に示される管理テーブルにおいて、番号（Ｎｏ．）は、管理番号であると共に保存されている画像のファイル名に対応している。従って、この番号から保存してある出力禁止画像及び出力禁止条件を一意に決定することができる。
【００２０】
範囲は画像の一致している範囲を示す。１００％は登録されている画像と同じ画像が含まれていることを示す。７５％以上、９０％以上のように段階的に一致範囲が設定されるようになっている。これは、例えば印鑑の端の方のように出力禁止画像によっては多少欠落する場合がある為、欠落しても含まれていたら出力禁止と扱うための設定である。
【００２１】
ここでの出力禁止画像との一致の判定は、出力禁止画像と画像読取部１４にてスキャナで読み取った画像の画素を比較することによって行う。即ち、登録されている全ての出力禁止画像と読み取った画像の画素を比較して、両者が一致しているか否かの判断を行うことになる。設定されている範囲の条件が１００％の場合は、読み取った画素が１画素でも違った場合に「一致せず」と判断する。設定されている範囲の条件が１００％以外の場合は、例えば７０％の場合は登録画像の横幅分の画素数の３０％を超える画素を読み取っても連続して一致する箇所が出現しなかった場合に「一致せず」と判断する。以上の判断は画像比較解析部１６が実施するようになっている。
【００２２】
これを一般的に表現すると、ｎ％の場合は登録画像の横幅分の（１００−ｎ）％を超えても連続して一致する箇所（画素）が現れなければ「一致せず」と判断される。連続して一致する箇所（画素）が出現した場合、その後の読み取りで登録されている出力禁止画像と異なる画素が検出された瞬間に「一致せず」と判断する。つまり、印鑑の端の欠落の例のように、７０％一致しているという範囲の条件が設定されている場合は、７０％の部分は連続して完全一致していなければ「一致せず」と判断される。以上の判断は画像比較解析部１６が実施するようになっている。
【００２３】
色は色の誤差の許容範囲を示す。色と形の両方が同じ場合は○、色落ち・変色等により多少の色違いが発生する場合は△、色は関係ない場合は×として管理される。ここで、△の設定がなされた場合の多少の色違いとは、色の一致判断において各色要素の輝度の差が例えば２０％未満であることを示す。但し、これには限定されない。登録画像の各画素における輝度と、読み込んだ画像のうち比較対象となる画素の輝度との差が２０％以上である画素が存在した場合は、画像比較解析部１６により「一致せず」と判断される。×の場合は登録画像と原稿が白黒画像として比較され一致を判定する。白黒の区別は読取り範囲を走査し、輝度分布に応じた閾値を用いる等とする。
【００２４】
サイズは拡大縮小可能なサイズの許容範囲を示す。１００％は多くの金券のようにサイズが異なる場合に文書としての意味が無くなってしまうものに指定される。他には７５％〜１５０％、５０％〜２００％等が指定でき、この範囲に収まる拡大縮小であれば、画像比較解析部１６により出力禁止として取り扱われるようになっている。
【００２５】
図３には画像形成装置の入力・表示部１２による表示画面の構成例を示し説明する。
【００２６】
この図３に示される例では、表示画面１００の表示エリアは、大きく３つに分割されている。左側はモード切替エリア１０１、右上はメッセージ表示エリア１０２、右下はパラメータ入力エリア１０３となっている。
【００２７】
左側のモード切替エリア１０１では、「コピー」ボタン１０１ａ、「Scan To」ボタン１０１ｂ、「FAX」ボタン１０１ｃ、「登録」ボタン１０１ｄをタップすることで、コピー、Scan To、FAX、出力禁止画像登録の各モードの切り替えを行うことができる。コピーモードではコピーを行えるようになる。Scan Toモードでは、その後の画面切り替えで表示されるサブメニューで、読み取った画像データの送り先としてＵＳＢ（Universal Serial Bus）メモリ、E-mail、ネットワークＰＣ等を指定することができる。ＦＡＸモードではＦＡＸの送受信を行うことができるようになる。図３において網掛け示されている登録ボタン１０１ｄは、出力禁止画像を登録する出力禁止画像登録モードに設定するボタンであり、ここでは、網掛け表示により現在登録モードが選択されていることを示している。
【００２８】
右上のメッセージエリア１０２は、この画像形成装置１の状態やユーザへのメッセージの表示と詳細なパラメータの設定、スキャン開始など制御の実行受付を行う。現在は出力禁止画像登録モードであり、画像形成装置１はユーザが登録したい出力禁止画像の原稿をセットするのを待つ状況であるため、「登録できます」のメッセージと原稿サイズや背景色指定のパラメータを設定する「詳細設定」ボタン１０２ａ、出力禁止画像の読み取り開始のための「スキャン開始」ボタン１０２ｂが表示されている。
【００２９】
右下のパラメータ入力エリア１０３では先に図２で説明した出力禁止条件を設定することができる。例えば、範囲の下の「１００％」と表示されている領域１０３ａに触れると７５％、９０％などといった具合に範囲が選択可能となる。色の場合も同様に「○」と表示されている領域１０３ｂに触れると「○」、「△」、「×」を指定することができる。更にサイズの場合も同様に「１００％」と表示されている領域１０３ｃに触れるとサイズを指定することができる。これらの指定がなされると、入力・表示部１２から制御部１１に通知がなされ、制御部１１から条件設定部１６に設定情報が通知さる。条件設定部１６はこれら設定情報に基づいて出力禁止条件の設定を行う。
【００３０】
以下、図４のフローチャートを参照して、本発明の第１の実施形態に係る画像形成装置による出力禁止画像登録モード時の処理手順を詳細に説明する。
【００３１】
まず入力・表示部１２より画像形成装置１を出力禁止画像登録モードに設定する（Ｓ１０１）。具体的には、図３に示した表示画面１００のモード切替エリア１０１の「登録」ボタン１０１ｄがユーザによりタップされると、制御部１１は出力禁止画像登録モードに移行するよう制御する。
【００３２】
続いて、入力・表示部１２より登録する画像に対する出力禁止条件を設定する（Ｓ１０２）。より具体的には、図３に示した表示画面１００のパラメータ入力エリア１０３の各領域１０３ａ乃至１０３ｃをタップすることで、範囲、色、サイズが定められると、制御部１１は、その情報を条件設定部１６に出力条件管理テーブルに管理のために送出する。条件設定部１６は、この情報に基づいて出力禁止条件を設定する。
【００３３】
次に原稿台に置かれた原稿を画像読取部１４が読み取る（Ｓ１０３）。このとき、原稿のサイズ指定、背景色指定などの変更があれば事前に入力・表示部１２より入力する。そして、画像登録部１５は、読み取った画像データを指定されたサイズ、背景色などのパラメータに応じて加工し、システムに一意に定められるファイル名を付与して登録可能な状態にする（Ｓ１０４）。続いて、画像登録部１５は、読み取った画像データを画像保存部１７に保存し、条件設定部１６に該画像保存部１７に保存された画像データのファイル名を通知する（Ｓ１０５）。この通知により、先に設定された出力禁止条件と出力禁止画像とが対応付けられることになる。即ち、条件設定部１６は、Ｓ１０２で設定された出力禁止条件をＳ１０５で保存した画像データに関連付けて画像保存部１７に記録する（Ｓ１０６）。こうして、出力禁止画像登録モード時における一連の処理を終了する。
【００３４】
次に、図５のフローチャートを参照して、本発明の第１の実施形態に係る画像形成装置による複写時の動作を詳細に説明する。
【００３５】
先ず入力・表示部１２より画像形成装置１をコピーモードに設定する（Ｓ１１１）。より具体的には、図３に示した表示画面１００のモード切替エリア１０１の「コピー」ボタン１０１ａがユーザによりタップされると、制御部１１はコピーモードに移行するように制御する。続いて、原稿台に置かれた原稿を画像読取部１４が読み取る（Ｓ１１２）。このとき、コピー部数、カラー・濃度調整、出力レイアウトの指定などの変更があれば事前に入力・表示部１２より入力する。
【００３６】
次いで、画像比較解析部１８は読み取った画像に画像保存部１７に保存された出力禁止画像がないか比較・解析する（Ｓ１１３）。この際、画像比較解析部１８は、出力条件管理テーブルに従って、含まれる画像の範囲や、色の違いなどの出力禁止条件に沿って比較する。そして、画像比較解析部１８は、読み取った画像中に出力禁止画像が含まれているか否かを判断し（Ｓ１１４）、出力禁止条件下で、読み取った画像中に出力禁止画像として登録されている画像が見つかった場合には、出力禁止条件に合致した時点で比較・解析を中断し、出力制御部１９の制御の下、原稿台の原稿に係る画像データに出力禁止画像が含まれていたため印刷できない旨のメッセージを入力・表示部１２に表示する（Ｓ１１５）。一方、最後（例えば、最後の画素まで）まで比較・解析しても出力禁止画像が見つからなかった場合は、出力制御部１９の指示に従い、印刷部１３が読み取った画像の印刷を行う（Ｓ１１６）。こうして、複写時の一連の動作を終了する。
【００３７】
以上説明したように、本発明の第１の実施形態は、原稿を読み取って画像データを出力する画像形成装置において、原稿を読み取り画像データを生成する画像読取部１４と、画像読取部１４で読み取った第１の画像データである出力禁止画像を登録する画像登録部１５と、画像登録部１５に登録された前記第１の画像データの出力禁止条件を設定する条件設定部１６と、画像読取部１４で読み取った第２の画像データ、即ち読み取った原稿画像に、条件設定部１６で設定された出力禁止条件の範囲内で前記第１の画像データ、即ち出力禁止画像が含まれるか否かを判定する画像比較解析部１８と、画像比較解析部１８で出力不可と判定された場合には、前記第２の画像データの出力を禁止する出力制御部１９とを有することを特徴とする。
【００３８】
従って、本発明の第１の実施形態によれば、登録されている出力禁止画像を含む画像を出力する際に、登録されている画像と完全に一致しなくても出力禁止条件に適合する画像であれば出力を適切に禁止することができる。
【００３９】
［第２の実施形態］
図６には本発明の第２の実施形態に係る画像形成装置の構成を示し説明する。
この図６に示されるように、画像形成装置１は、制御部１１、入力・表示部１２、印刷部１３、画像読取部１４、画像登録部１５、条件設定部２０、画像保存部２１、画像比較解析部２２、出力判断部２３、出力制御部１９を備えている。ここでは、図１と同一の構成については同一符号を用いて重複した説明を省略し、第１の実施形態に係る画像形成装置と異なる構成を中心に説明する。
【００４０】
このような構成において、条件設定部２０は出力許可条件も設定する。即ち、条件設定部２０は、画像登録部１５で登録された出力禁止画像が含まれる画像データであっても出力を許可する出力許可条件を設定する。画像保存部２１は登録された出力禁止画像及び出力許可条件を対応付けて保存する。保存のための出力条件管理テーブルの例は、後に図７で説明する。
【００４１】
画像比較解析部２２は、出力のために読み取られた画像に画像保存部２１に保存されている出力禁止画像が含まれていないかを比較・解析する。出力判断部２３は、出力禁止画像が含まれていた場合に出力許可条件を満たしているかを判断する。即ち、画像比較解析部２２で出力禁止画像が含まれると解析された画像の出力許可条件を調べ、出力許可条件を満たしている場合には出力可と、満たしていない場合に出力不可と判断する。
【００４２】
図７には画像保存部２１に保存されている画像と条件の管理テーブルの構成例を示し説明する。この図７に示される管理テーブルにおいて、番号（Ｎｏ．）は、管理番号であると共に保存されている画像のファイル名に対応している。従って、この番号から保存してある画像及び条件を一意に決定することができるようになっている。
【００４３】
場所は読み取った原稿のうち出力禁止画像が含まれても良い場所を指定する。図７のＮｏ．１の例では四隅に含まれていない場合は出力を許可する（出力許可条件）。換言すれば四隅に配置されていた場合のみ禁止するという設定であるとも言える。Ｎｏ．２の「×」は画像を含んでいたらいかなる場所にあっても許可しない設定を示す。本来は右上隅のように配置は決まっているが、原稿の回転を考慮するため、両像が四隅に含まれていた場合は出力禁止となり、内部あるいは中央辺付近に配置されていた場合が出力許可となる。より具体的には、Ｎｏ．１の例では、四隅の所定サイズの領域に出力禁止画像が含まれている場合には出力を許可するような制御がなされることになる。
【００４４】
図８には、画像形成装置の入力・表示部１２の表示画面の構成例を示し説明する。この例では、表示画面１１０は、大きく３つに分割されており、左側はモード切替エリア１１１、右上はメッセージ表示エリア１１２、右下はパラメータ入力エリア１１３となっている。尚、モード切替エリア１１１、メッセージ表示エリア１１２は、先に図３に示したエリア１０１，１０２と同様であるので、重複した説明は省略する。
【００４５】
右下のパラメータ入力エリア１１３では、図７の説明において説明した出力許可条件を設定することができる。例えば、場所の下の「四隅以外」と表示されている領域１１３ａに触れると「四隅」、「中央」、「×」などが選択可能となる。ここで、「中央」とは、四隅の場合とは逆に原稿の中心から例えば３０％以内に含まれる場合を指す。先ほどのＡ４縦原稿の例では、左上端を（０ｍｍ，０ｍｍ）とすると、（４２ｍｍ，５９．４ｍｍ）、（４２ｍｍ，２３７．６ｍｍ）、（１６８ｍｍ，５９．４ｍｍ）、（１６８ｍｍ，２３７．６ｍｍ）の点の内側を中央とみなす。四隅の１０％、中央の３０％という割合は一例であり、一般的に考慮できる範囲内で変更可能であることは勿論である。
【００４６】
以下、図９のフローチャートを参照して、本発明の第２の実施形態に係る画像形成装置による出力禁止画像登録モード時の処理手順を詳細に説明する。
【００４７】
まず入力・表示部１２より画像形成装置１を出力禁止画像登録モードに設定する（Ｓ２０１）。具体的には、図８に示した表示画面１１０のモード切替エリア１１１の「登録」ボタン１１１ｄがユーザによりタップされると、制御部１１は出力禁止画像登録モードに移行するよう制御する。ここでは、出力禁止画像登録モード時に、出力許可条件も後述するように設定することが可能となっている。詳細は後述する。
【００４８】
続いて、入力・表示部１２より登録する画像に対する出力禁止条件、出力許可条件を設定する（Ｓ２０２）。より具体的には、第１の実施形態で説明したように出力禁止条件を設定すると共に、図８の画面１１０のパラメータ入力エリア１１３の領域１１３ａをタップすることで、「四隅」、「中央」、「×」等といった場所に係る出力許可条件を設定することが可能となっている。出力許可条件の操作入力がなされると、入力・表示部１２はその情報を制御部１１に通知する。制御部１１は、その情報を条件設定部２０に送出し、条件設定部２０は該情報に基づいて出力許可条件の設定を行う。
【００４９】
次に原稿台に置かれた原稿を画像読取部１４が読み取る（Ｓ２０３）。このとき、原稿のサイズ指定、背景色指定などの変更があれば事前に入力・表示部１２より入力する。そして、画像登録部１５は、読み取った画像データを指定されたサイズ、背景色などのパラメータに応じて加工し、システムに一意に定められるファイル名を付与して登録可能な状態にする（Ｓ２０４）。続いて、画像登録部１５は、読み取った画像データを画像保存部２１に保存し、条件設定部２０に該画像保存部２１に保存された画像データのファイル名を通知する（Ｓ２０５）。この通知により、先に設定された出力禁止条件、出力許可条件と出力禁止画像とが対応付けられる。即ち、条件設定部２０は、Ｓ２０２で設定された出力禁止条件及び出力許可条件をＳ２０５で登録した画像データに関連付けて記録する（Ｓ２０６）。こうして、出力禁止画像登録モード時における一連の処理を終了する。
【００５０】
次に、図１０のフローチャートを参照して、本発明の第２の実施形態に係る画像形成装置による複写時の動作を詳細に説明する。
【００５１】
先ず入力・表示部１２より画像形成装置１をコピーモードに設定する（Ｓ２１１）。より具体的には、図８に示した表示画面１１０のモード切替エリア１１１の「コピー」ボタン１１１ａがユーザによりタップされると、制御部１１はコピーモードに移行するように制御する。続いて、原稿台に置かれた原稿を画像読取部１４が読み取る（Ｓ２１２）。このとき、コピー部数、カラー・濃度調整、出力レイアウトの指定などの変更があれば事前に入力・表示部１２より入力する。
【００５２】
次に画像比較解析部２２は、読み取った画像に画像保存部２１に保存された出力禁止画像がないか比較・解析する（Ｓ２１３）。この際、画像比較解析部２２は、画像保存部２１の出力条件管理テーブルに従って、含まれる画像の範囲や、色の違いなどの出力禁止条件に沿って比較する。そして出力禁止画像が含まれているか否かを判断し（Ｓ２１４）、出力禁止条件下で、読み取った画像中に、出力禁止画像として登録されている画像が見つかった場合は、出力判断部２３が見つかった画像の出力許可条件を図７の出力条件管理テーブルを参照して判断し（Ｓ２１５）、出力許可条件を満たす場合は、出力制御部１９の制御の下、読み取った画像の印刷を行う（Ｓ２１６）。一方、出力許可条件を満たさなかった場合は、出力制御部１９の制御の下、原稿台の原稿の画蔵データに出力禁止画像が含まれていたため印刷できない旨のメッセージを入力・表示部１２に表示する（Ｓ２１７）。こうして一連の処理を終了する。
【００５３】
以上説明したように、本発明の第２の実施形態は、条件設定部２０は、出力許可条件の設定を行い、出力判断部２３は出力許可条件を満たすか否かを判断し、出力制御部１９は画像比較解析部２２により出力禁止条件の範囲内で前記第１の画像データ、即ち出力禁止画像が含まれていると判定された場合であっても、出力許可条件を満たす場合には第２の画像データの出力を許可することを特徴とする。
【００５４】
従って、本発明の第２の実施形態によれば、出力禁止でない文書を出力する際に、登録されている出力禁止画像と一致あるいは類似した画像が含まれている場合であっても、登録されている条件に適合しなければ出力することができる。
【００５５】
以上、本発明の第１及び第２の実施形態について説明したが、本発明はこれらに限定されず、その主旨を逸脱しない範囲で種々の改良・変更が可能である。
【００５６】
即ち、上記実施形態ではコピー（Scan to Print/Printer）を例に説明したが、画像形成装置に着脱可能な外部記憶装置に読み取った画像データを保存する「Scan to USB Memory」や、読み取った画像を電子メールとして送信する「Scan to E-mail」、読み取った画像をネットワーク接続されたＰＣに保存する「Scan to Network PC」などのように、印刷を伴わない操作にも適用可能であることは勿論である。
【００５７】
さらに、上記実施形態では、画像読取部１４としてフラットベッド型を採用する例を用いて説明したが、登録時は読取り原稿のサイズを設定もしくは自動検出すればＡＤＦ形式でも適用可能であることは勿論であり、その他、コピー、Scan to等の利用時はフラットベッド型と同様に適用可能であることは勿論である。
【００５８】
また、上記実施形態では、出力条件設定を登録時に入力装置から行ったが、登録前に予め行っても登録後に事後に行ってもよく、ローカルパーソナルコンピュータ（ＰＣ）から行ってもよい。ローカルＰＣから行う方法としては、例えば、画像形成装置にウェブサーバを内蔵しておき、ローカルＰＣのウェブブラウザから画像形成装置にアクセスすることによって行う方法がある。
【００５９】
さらに、上記実施形態では、単に出力禁止画像のある場所を指定し、指定の場所を探すだけとしたが、原稿の回転を考慮した場所も探すようにしてもよい。
【００６０】
また、出力禁止画像として読み取る画像は、原稿読み込み時にプレスキャンを行い、プレビューを表示するなどしてから、出力禁止とする有効範囲を指定し、指定された範囲の画像だけを出力禁止画像として登録してもよい。
【００６１】
さらに、上記実施形態では、入力装置と表示装置が一体型のタッチパネルを用いて説明したが、オペレータパネルなどの表示装置と、入力ボタン・キーボードなどの入力装置の組み合わせでもよいことは勿論である。
【００６２】
そして、上記実施形態では、出力禁止画像が含まれていた場合に、その旨をタッチパネルに表示する方法をとったが、これに限定されず、登録されているE-Mailアドレスにメールで通知したり、出力禁止画像が含まれていることを示す印刷（メッセージを印刷、不可能部分を真っ黒にして印刷など）を行って通知したりしてもよい。
【符号の説明】
【００６３】
１  画像形成装置
２  画像形成装置
１１  制御部
１２  入力・表示部
１３  印刷部
１４  画像読取部
１５  画像登録部
１６  条件設定部
１７  画像保存部
１８  画像比較解析部
１９  出力制御部
２０  条件設定部
２１  画像保存部
２２  画像比較解析部
２３  出力判断部
【図１】
2010212859.tif 000003
【図２】
2010212859.tif 000004
【図３】
2010212859.tif 000005
【図４】
2010212859.tif 000006
【図５】
2010212859.tif 000007
【図６】
2010212859.tif 000008
【図７】
2010212859.tif 000009
【図８】
2010212859.tif 000010
【図９】
2010212859.tif 000011
【図１０】
2010212859.tif 000012